(57)【要約】【課題】  物理的な外圧が加わっても音響特性の劣化がない響胴を組み込み、聴覚及び触覚の双方で再生音響を楽しむことが可能な響胴放射型ピーカを提供する。【解決手段】  下響胴２０の下板２１、側板２３及び上響胴３０の上板３１、側板３２に、外圧に耐える板厚の桐板を使用する。下響胴２０の下板２１に磁気回路２２を固定し、四辺に側板２３を起立させる。上響胴３０の上板３１の四辺にも側板３２を起立させる。ボイスコイル１１を固定した響板１０を下響胴２０と上響胴３０との間に挟んで、一体化した響胴を作製する。厚い桐板を響胴の構造材にしているので、物理的な外圧が加わっても音響特性の劣化がない響胴放射型ピーカとなる。【選択図】図３
2019004443.tif 000002
【特許請求の範囲】
【請求項１】
下響胴に磁気回路を固定し、ボイスコイルを固定した響板を下響胴と上響胴との間に挟んだ響胴放射型ピーカにおいて、外圧に耐える板厚の桐板を下響胴及び上響胴の構造材に使用していることを特徴とする響胴放射型ピーカ。
【発明の詳細な説明】
【技術分野】
【０００１】  本発明は、聴覚及び触覚により音響を楽しむことができる響胴放射型のスピーカに関する。
【背景技術】
【０００２】  音響機器に使用されているスピーカは、コーン等の振動板の振動を導電型等の駆動方式によって直接放射又はホーン式で放射し、電気エネルギを音響エネルギに変換している。そのため、スピーカから放射される音波に指向性があり、聴く位置がスピーカとの関連で特定される。しかも、振動板から得られる音波は空気音であり、依然として自然音に比較すると違和感があり、特に音質に敏感な音楽愛好家や音楽専門家の要求を十分に満足するまでに至っていない。また、振動体に外力が加わると音が変化してしまうので、振動を体で感じ、音を耳で聴くという触覚と聴覚の両者を満足させる椅子型スピーカには不向きであった。【０００３】  本発明者は、従来の振動板による音放射の問題を解決した響胴放射型スピーカを開発し特許第４２１０７１８号として紹介した。紹介した響胴放射型スピーカは、図１に示すように響胴１の一部を構成する響板２にボイスコイル３を固定し、基台４から起立するフレーム５に磁気回路６を固定している。磁気回路６とボイスコイル３により電気エネルギを音響エネルギに変換し、響板２、さらに響胴１全体を振動させ音を放射させている。その結果、指向性が広められ、聴き心地の良い自然な音響が得られる。
【先行技術分献】
【特許文献】
【０００４】
【特許文献１】特許第４２１０７１８号  明細書
【発明の概要】
【発明が解決しようとする課題】
【０００５】  本発明者は、先に提案した響胴放射型スピーカの特性を活用し、響胴に座っても振動の減衰がごく僅かに留まり音楽を聴くのに支障がなく、しかも音響を体で感じることを可能にする方策を検討した。そして、種々の材料を用いて響胴を作製し、響胴に加わる物理的荷重と音波の振動減衰との関係を調査した結果、桐の厚板を響胴の補強に使用すると聴覚と触覚の双方を満足させ得るスピーカになることを見出した。
【課題を解決するための手段】
【０００６】  本発明は、先の響胴放射型スピーカと同様の起振方法を採用している。磁気回路を固定した下板と側板で箱状の下響胴を形成し、上板と側板で箱状の上響胴を形成する。響板にボイスコイルが直接接続されており、ボイスコイルと磁気回路が適当なクリアランスを保って対峙するように響板と下響胴を接合し、響板を挟むように下響胴と上響胴を一体化して響胴を構成する。ここで、比較的厚い桐板を上板、下板及び周辺板に使用する。桐板は、軽量で音響特性も良く、１０〜３０ｍｍ程度の板厚であれば相当な物理的外力に耐えることができる。良好な音響特性は、音響楽器に適した材質として使用されている緻密な年輪のある木材とは逆に、年輪のない木材ともいわれ木目が密で導管の大きな桐板固有の特性に由来するものと推察される。桐板が音響楽器に適した材質であることは、和琴の竜甲に使用されていることからも納得できる。
【発明の効果】
【０００７】  音源から電気信号がボイスコイルに流れると、磁気回路との作用で響板が振動する。響板の振動は響胴全体に伝達され、音源信号が忠実に響胴の物理的振動と音波振動に変換され、触覚と聴覚の双方を満足させ得るスピーカとなる。しかも、物理的強度に優れた下響胴と上響胴の間に響板があるので、着座のように外力が上板に加わっても振動減衰が少ない。その結果、音質変化のない振動が着座した体に伝達され、物理的振動を身体で感じ音響を耳で聴くことが可能になる。
【図面の簡単な説明】
【０００８】
【図１】本発明者が先に提案した響胴放射型スピーカの内部構造を示す側断面図
【図２】本発明実施例の響胴放射型スピーカを示す全体図
【図３】ボイスコイルと響板、下響胴、上響胴の位置関係を示す断面図
【図４】本発明響胴放射型スピーカを椅子型にした例を示す説明図
【図５】本発明響胴放射型スピーカを自動車の座席に適用した説明図
【発明を実施するための形態】
【０００９】  本発明実施例の響胴放射型スピーカは、図２、図３に示すように、ボイスコイル１１が接続された響板１０を下響胴２０と上響胴３０の間に挟んでいる。下響胴２０は、厚い桐材の下板２１に磁気回路２２を固定している。下板２１の周囲に、同じく厚い桐材の側板２３を起立させている。上響胴３０も、厚い桐材の上板３１の周囲に同じく厚い桐材の側板３２を起立させている。ボイスコイル１１に信号線１２が取り付けられ、ターミナル１３を介して外部音源に接続される。
【００１０】  音源から電気信号がボイスコイル１１に供給されると、下板２１に固定された磁気回路２２との作用で磁気励起される。電気信号に応じた振動がボイスコイル１１に発生し、ボイスコイル１１の振動が響板１０の振動となり、響板１０と下響胴２０に伝達される。その結果、電気信号に応じた音響が再生され、響板１０と下響胴２０に伝達された振動が物理的振動として着座者等に伝えられる。耐圧強度及び音響特性の優れた厚い桐板を構造材としているので、下響胴２０、上響胴３０に多少の外圧が加わっても、再生音響に実質的な劣化はない。
【実施例】
【００１１】  板厚８ｍｍでサイズ４５０ｍｍ×４８０ｍｍの桐板を響板１０に使用し、コイル径２０ｍｍのボイスコイル１１を響板１０の中央部に固着した。下響胴２０の下板２１には板厚２０ｍｍでサイズ４５０ｍｍ×４８０ｍｍの桐板を使用し、幅２０ｍｍ、高さ３０ｍｍの側板２３を下板２１の四辺に接合し、マグネット径８０ｍｍの磁気回路２２を下板２１の中央部に固着した。同じく板厚２０ｍｍでサイズ４５０ｍｍ×４８０ｍｍの桐板を上響胴３０の上板３１に使用し、幅２０ｍｍ、高さ３０ｍｍの側板３２を上板３１の四辺に接合した。適宜のクリアランスでボイスコイル１１が磁気回路２２に対向するように響板１０を下響胴２０に接合し、響板１０を挟み込んで下響胴２０に上響胴３０を接合し、一体化した座椅子型の響胴を作製した。【００１２】  外部音源から信号線１２を経由して音響信号をボイスコイル１１に入力すると、磁気回路２２の磁力により音響信号に応じた振動がボイスコイル１１に発生した。振動は響板１０の振動となって響胴全体に伝達され、音響振動として外部に放散されると同時に、物理的振動として着座者に伝えられた。厚い桐板を下響胴２０、上響胴３０の構造材としているので、響胴に座っても振動の減衰が少なく、音響振動を耳で聞き物理的振動を身体で感じるため、聴覚と触覚の双方で音楽を楽しむことが可能になった。【００１３】  一つの椅子に複数の響胴放射型スピーカを組み込むこともできる。たとえば図４に示すように、第１の響胴放射型スピーカ４１を椅子４０の座面に、第２の響胴放射型スピーカ４２を背もたれ部に配置すると椅子型の響胴放射型スピーカになる。【００１４】  自動車の座席に適用する場合、図５に示すように響胴放射型スピーカ５１，５２を座面、背もたれ部の双方に配置する。響胴放射型スピーカ５１を固定具５３で自動車５０のフレームに固定し、響胴放射型スピーカ５１，５２の表面をクッション５４で覆って座り心地を改善する。クッション５４を被せても振動の減衰が少ないので、座り心地良く触覚、聴覚の双方で音楽を楽しむことができる。そのため、長時間運転しても疲れを覚えることがない自動車の座席となる。
【産業上の利用可能性】
【００１５】  本発明の響胴放射型スピーカは、耐圧強度、音響特性に優れた厚い桐板を響胴の構造材に使用しているので、多少の外圧が加わっても音響特性を劣化させることなく、音響振動、物理的振動として外部に放散できる。そのため、聴覚、触覚の双方で音楽を楽しむことが可能な音響機器となる。また、触覚を通信の手段としている聴覚障害者にとっても喜ばれる音響機器として使用される。
【符号の説明】
【００１６】    １０：響板
１１：ボイスコイル
１２：信号線
１３：ターミナル
２０：下響胴
２１：下板
２２：磁気回路
２３：側板
３０：上響胴
３１：上板
３２：側板
【図１】
2019004443.tif 000003
【図２】
2019004443.tif 000004
【図３】
2019004443.tif 000005
【図４】
2019004443.tif 000006
【図５】
2019004443.tif 000007